(57)【要約】      （修正有）【課題】オムツを着用する等の人にとり身近にトイレを置くことによりオムツ着用を無くし自力で廃用症候群を起こすこと無く生活できるトイレ付ベットを提供する。【解決手段】ベットの上半身用枠体には、当該上半身用枠体上に敷設する上半身用マットレスの上半身部８を起立する起立手段を設けることにより上半身用マットレスの上半身部８を起立自在とし、かつ上半身用マットレスの腰部用マットレス９の中央部には、排泄用凹部１１を凹設するとともに当該凹部１１に蓋体を着脱自在に嵌着することにより、排泄部１３を設けることにより構成し、更に、上半身用枠体に対して、当該上半身用枠体に敷設される腰部用マットレス９の排泄部１３との対応位置に排泄物処理用ボックス２０としての外箱部２１を設けるとともに当該外箱部２１内に、排泄物処理用ボックス２０としての内箱部２２を前後方向に移動自在に内装することにより、排泄物処理用ボックス２０を設ける。【選択図】図８
0003203508.tif 000002
【実用新案登録請求の範囲】
【請求項１】
身体の上半身用枠体と下半身用枠体の２分割自在な枠体からなるベット用枠体に上半身用マットレスと下半身用マットレスを敷設したベットに於いて、
前記ベットの上半身用枠体には、当該上半身用枠体上に敷設する前記上半身用マットレスの上半身部を起立する起立手段を設けることにより上半身用マットレスの上半身部を起立自在とし、かつ前記上半身用マットレスの腰部用マットレスの中央部には、排泄用凹部を凹設するとともに当該凹部に蓋体を着脱自在に嵌着することにより、排泄部を設けることにより構成し、更に、前記上半身用枠体に対して、当該上半身用枠体に敷設される前記腰部用マットレスの排泄部との対応位置に排泄物処理用ボックスとしての外箱部を設けるとともに当該外箱部内に、排泄物処理用ボックスとしての内箱部を前後方向に移動自在に内装することにより、排泄物処理用ボックスを設けることにより構成し、加えて前記ベットの排泄物処理用ボックスを構成する内箱部の開口部に対して、前記上半身用マットレスの腰部用マットレス上面に敷設される防水シートの袋体部の開口部を気密かつ水密的に閉止しつつ連結して構成し、当該排泄物処理用ボックスの内箱部内に排泄される排尿、排便及び洗浄水等の排泄物を、前記排泄物処理ボックスの外箱部に備えるバキューム手段により吸引することにより、外部の排泄物収集タンク内に収集処理することができるように構成したことを特徴とするトイレ付ベット。
【請求項２】
前記ベットの排泄物処理ボックスの内箱部は、前記外箱部に設けた支持フランジに対して、内箱部に設けたガイドフランジをスライド自在に係合することにより、外箱部の前後方向に移動自在に装着することにより構成したことを特徴とする請求項１記載のトイレ付ベット。
【請求項３】
前記ベットの排泄物処理ボックスは、前記内箱部に設けた吸引口を前記外箱部に設けた伸縮自在な吸引ノズルに連結することにより構成したことを特徴とする請求項１記載のトイレ付ベット。
【請求項４】
前記ベットの排泄物の処理ボックスは、前記外箱部に設けた吸引ノズルを、前記外部の排泄物収集タンクに連結する吸引ホースに電動ボールバルブを介して連結することにより構成したことを特徴とする請求項１記載のトイレ付ベット。
【請求項５】
前記ベットの排泄物の処理ボックスは、前記内箱部に洗浄水噴出ノズルを設けることにより構成したことを特徴とする請求項１記載のトイレ付ベット。
【請求項６】
前記ベットの排泄物の処理ボックスは、前記上半身用マットレスの腰部用マットレス上面に敷設される防水シートの袋体開口部を、前記内箱部の開口部に対して気密かつ水密的に接着または、溶着しつつ連結するとともに当該接着または溶着部分の防水シートの袋体開口部分には、内箱部を外箱部内に於いて前後方向に移動する際のゆとりを備えて連結することにより構成したことを特徴とする請求項１記載のトイレ付ベット。
【考案の詳細な説明】
【技術分野】
【０００１】
本考案はトイレ付ベットに関するものである。
しかして、本考案の主な目的としては、頭脳は正常であって、尿、便意もあり、これを訴えることが可能であってもトイレにての排泄が間に合わない為にオムツによる排泄に頼る人が多い。又、オムツを着用の主な理由の第一位が同様にしてトイレが間に合わないからとするデータが存在することから、これらの人に取って、身近に「トイレ」を置くことによりオムツを着用せずに自力で癈用症候群を起こすことなく生活のできる排泄物の処理が可能なトイレ付ベットの提供を目的とするものである。
【背景技術】
【０００２】
本考案者は、同様の目的を以って、特開２０１０−８７０１号公報（特許文献１）記載の発明を提案するとともに当該特許文献１の発明における諸欠点を解消する発明として特願２０１５−１１６８０５号（特許文献２）記載の発明を提案したところであります。
すなわち、前記特許文献２は、特許文献１における処理ボックスの排泄用長溝部と防水シートの袋体、あるいは、ベット本体の特許文献１のマットレスにおける処理ボックスの長溝部とに対応する処理ボックスの長溝部内に装入されるバキュームボックスの長溝開口部と防水シートの袋体との開放部からの排泄物並びに臀部洗浄水等の漏れ出しを皆無とし、悪臭を無くすとともにバキュームボックスのバキューム効果を向上することのできるマットレス又はベットにおける排泄物の処理方法の提供を目的とするものである。
【先行技術文献】
【特許文献】
【０００３】
【特許文献１】特開２０１０−８８７０１号公報
【特許文献２】特願２０１５−１１６８０５号
【考案の概要】
【考案が解決しようとする課題】
【０００４】
そこで、本考案は特に特許文献２に於いて使用するベットの構成について、実際の実施に当たって前記本考案の目的とする「トイレ付きベット」のより効果達成に使用することのできるトイレ付ベットを提供することを目的とするものである。
【０００５】
すなわち、特許文献２におけるバキュームボックスは、バキューム手段を備えるものであるが、単体から成るバキュームボックスであると、バキューム手段の構成が、ベットに敷設するマットレスに設けた排泄用長溝部に対応せしめるセッテイングに困難性を生じるとともに排泄時の位置を排泄者に対して移動する調整がスムースに実施することのできない欠点を有するものである。
【０００６】
因って本考案は、ベットにおける排泄物の処理方法の実施に当たり、前記欠点を解消しつつ、特許文献２の作用効果を発揮することのできるトイレ付ベットの提供を目的とするものである。
【課題を解決するための手段】
【０００７】
本考案の請求項１の考案は前記目的を達成するため、身体の上半身用枠体と下半身用枠体の２分割自在な枠体からなるベット用枠体に上半身用マットレスと下半身用マットレスを敷設したベットに於いて、前記ベットの上半身用枠体には、当該上半身用枠体上に敷設する前記上半身用マットレスの上半身部を起立する起立手段を設けることにより上半身用マットレスの上半身部を起立自在とし、かつ前記上半身用マットレスの腰部用マットレスの中央部には、排泄用凹部を凹設するとともに当該凹部に蓋体を着脱自在に嵌着することにより、排泄部を設けることにより構成し、更に、前記上半身用枠体に対して、当該上半身用枠体に敷設される前記腰部用マットレスの排泄部との対応位置に排泄物処理用ボックスとしての外箱部を設けるとともに当該外箱部内に、排泄物処理用ボックスとしての内箱部を前後方向に移動自在に内装することにより、排泄物処理用ボックスを設けることにより構成し、加えて前記ベットの排泄物処理用ボックスを構成する内箱部の開口部に対して、前記上半身用マットレスの腰部用マットレス上面に敷設される防水シートの袋体部の開口部を気密かつ水密的に閉止しつつ連結して構成し、当該排泄物処理用ボックスの内箱部内に排泄される排尿、排便及び洗浄水等の排泄物を、前記排泄物処理ボックスの外箱部に備えるバキューム手段により吸引することにより、外部の排泄物収集タンク内に収集処理することができるように構成したことを特徴とするものである。
【考案の効果】
【０００８】
本考案は、請求項１〜６の考案により、前記特許文献２の段落〔００１６〕〜〔００１８〕記載の作用効果を発揮することができる。
【０００９】
さらに、同請求項１〜６の考案により、頭脳はしっかりしていて、尿、便意もあり、訴えることもできる。しかしトイレまで間に合わない為、オムツ排泄を余議なしとする人が多い。
因に、オムツ着用の第一位は、トイレに間に合わないからのデータもある。
【００１０】
これらの人に、身近にトイレを置くことでオムツをせず、自力で癈用症候群を起こすことなく過ごすことができるベットを提供することができる効果が発揮できるものである。そして、自力排泄から失禁に至る日々変わりゆく体調、精神状況の全てに対応することのできるトイレ付ベットとその排泄方法を選択することのできるトイレ付ベットの提供を可能とするものである。
【図面の簡単な説明】
【００１１】
【図１】図１はトイレ付ベットの斜視図である。
【図２】図２（ａ）、（ｂ）はトイレ付ベットの使用状態を示す斜視図である。
【図３】図３はトイレ付ベットの一部を縦断して示す側面図である。
【図４】図４は排泄物処理ボックスにおける吸引ユニットおよび処理ボックスユニットの回路構成を示す説明図である。
【図５】図５（ａ）は内箱部の平面図、（ｂ）は内箱部の正面図、（ｃ）は図５（ａ）のＡ−Ａ断面図である。
【図６】図６は腰部用マットレスの斜視図である。
【図７】図７（ａ）は防水シートの斜視図、（ｂ）は図７（ａ）のＡ−Ａ断面図である。
【図８】図８（ａ）、（ｂ）はトイレ付ベットの使用方法と排泄物の処理方法の説明図である。
【実施例１】
【００１２】
図１〜３は、本考案のベットにおける排泄物の処理方法の実施に使用するトイレ付ベットの実施例１を示すもので、図１はトイレ付ベットの斜視図、図２（ａ）、（ｂ）は使用状態を示す斜視図、図３は一部を縦断して示す側面図である。
【００１３】
本考案の処理方法の実施に使用するトイレ付ベット１は図１に示す如く、上半身用枠体２と下半身用枠体３の２分割自在に構成したベット用枠体４に、上半身用マットレス５を、前記上半身用枠体２の上面に、下半身用マットレス６を前記下半身用枠体３の上面にそれぞれ敷設することにより構成されている。
【００１４】
又、当該トイレ付ベット１のベット用枠体４については、その構成上、前記上半身用枠体２に対して、下半身用枠体３を分離することができるように構成したもので、図２（ａ）、（ｂ）に示す如く上下両半身用枠体２，３の突き合わせ端部２ａ，３ａに、着脱自在な連結金具等の連結手段（図示しない）を設けることによって、上下両半身用枠体２，３のいずれか一方を対抗方向に移動力を加えることにより分離することができるとともにこれを突合方向に移動力を加えることにより、図１の状態に合体することができるように構成するものである。
【００１５】
尚、その具体的な構成については既存の構成によって種々実施することができるもので省略する。さらに、前記トイレ付ベット１のベット用枠体４の上下両半身用枠体２，３のそれぞれの脚部にはキャスター７を取付て、移動を容易にするとともに特に上下半身用枠体２には、当該枠体２上面に敷設した上半身用マットレス５のうちの背もたれ部用マットレス８を図２に示す如く斜傾しつつ起立することができるように起立手段１０を設けることにより構成されている。
【００１６】
尚、当該起立手段１０については、従来技術（例えば従来のベットや介護用ベットに装備される起立手段）を適用して実施するもので起立した背もたれ部用マットレス８は同手段１０により復帰する。
【００１７】
そして、前記上半身用マットレス５は、腰部用マットレス９の部分の中央部には、後記する排泄物処理ボックスを設置する排泄用凹部１１を設けるとともに当該排泄用凹部１１に蓋体１２を着脱自在に嵌着することにより排泄部１３を設けることにより構成されている。
【００１８】
尚、前記蓋体１２は、腰部用マットレス９と同一部材にて形成することによりマットレスとしての作用を維持するものである。
【実施例２】
【００１９】
図１〜３にて示すトイレ付ベット１を使用して、当該トイレ付ベット１の排泄部１３における排泄物を処理する場合の排泄物処理装置の実施例２を図４〜８により説明する。
【００２０】
さて、実施例１にて、その構成を説明したトイレ付ベット１においてベット用枠体４の上半身用枠体２には、図３および図８（ａ）に示す如く排泄物処理ボックス２０を構成する外箱部２１を、前記腰部用マットレス９の排泄部１３の下部に位置せしめて設置する。
【００２１】
そして、前記外箱部２１内には、内箱部２２を当該外箱部２１の前後方向に、例えば４〜５ｃｍの範囲内において移動することができるように内装することにより、排泄物処理ボックス２０を構成する。
【００２２】
すなわち、これは前記腰部用マットレス９に設けた排泄部１３における排泄用凹部１１の長さ方向において排泄物処理ボックス２０における内箱部２２の開口部を前後方向（長さ方向）においてその位置を対向配置にすることにより位置合わせしつつ使用することができるようにしたものである。
【００２３】
因って、より具体的な使用方法については後述するが、トイレ付ベット１における排泄物の処理方法は、図８（ａ）の寝たままにおける排尿、排便の際の処理に加えて、図８（ｂ）のベット１の下半身用枠体３を分離し、上半身用枠体２の腰部用マットレス９の排泄物１３に着座した状態における排尿、排便の際の排泄物の処理を可能にするものである。
【００２４】
尚、前記実施例１の構成からなるトイレ付ベット１において、出願人が既に提案した特許文献２（特願２０１５−１１６８０）記載の排泄物処理ボックス（図２および段落〔００２８〕〜〔００３２〕）を使用しての排尿、排便の排泄物の処理が可能である。
【００２５】
しかして、本考案の場合には、特にトイレ付ベット１については、これを実施例１に示す二分割自在なベット１を適用するとともに排泄物処理ボックス２０を内外箱部２１、２２にて構成し排泄物処理用のバキューム手段の構成を外箱部２１を介して装備する構成とすることにより排泄物処理ボックス２０の構成と取り扱い性をより簡易化し、排泄物処理作業の簡便性を向上し得るようにしたものである。
【実施例３】
【００２６】
図５〜図７は、本考案の排泄物の処理方法の実施に使用する排泄物処理ボックス２０における内箱部２２の具体的な実施例３を示すもので、図５（ａ）は内箱部２２の平面図、（ｂ）は正面図、（ｃ）は図５（ａ）のＡ−Ａ断面図であるとともに、図６は腰部用マットレスの斜視図、図７（ａ）は防水シートの斜視図、（ｂ）は図７（ａ）のＡ−Ａ断面図である。
【００２７】
図５に示す内箱部２２は、ステンレス（ＦＲＰＰ）、あるいは合成樹脂材等により一体形成したもので、図７の防水シート３０の袋体部３１の開口縁３１ａを水密かつ気密的に接着あるいは溶着する開口部２３を設けるとともに底部には排泄物の落込部２４を設け、当該落込部２４には外箱部２１に備える伸縮自在な吸引ノズル２５（図３および図８参照）に連結する吸引口２６を設けることにより構成されている。
【００２８】
尚、支持ガイド２７は、内箱部２２を外箱部２１内に前後方向に移動自在に支持するための支持ガイドである。
また、外箱部２１内に当該内箱部２２を外箱部２１の前後方向に移動自在に内装する構成については具体的に図示しないが、前記支持ガイド２７を介して外箱部２１に支持するワイヤー（図示しない）により吊り下げ支持する構成あるいは、外箱部２１の内壁側面のスライド方向間に支持フランジを延設するとともに内箱部２２の開口部２３の外壁側面に設けたガイドフランジをスライド自在に係合することにより内箱部２２を外箱部２１の内部に移動自在に装着する構成等を挙げることができる。
【００２９】
図６は、トイレ付ベット１の上半身用枠体２の上面に敷設して使用する腰部用マットレス９を示すもので中央部には排泄用凹部１１を設けるとともに当該排泄用凹部１１には、同凹部１１に嵌着する蓋体１２を着脱自在に装着することができるように、マットレス部材により形成されている。
また、前記蓋体１２は２分割できるように排泄部用１２ａとマットレス部用１２ｂにより構成するとともに排泄用凹部１１の開口端部１１ａにはつなぎコマ１１ｂを嵌着してある
さらに当該腰部用マットレス９には、後記防水シート３０を、同マットレス９上面に敷設した際にこれを止着するための面ファスナー２８を接着固定してある。
【００３０】
図７は、前記腰部用マットレス９の上面に敷設して使用する防水シート３０を示すもので、中央部には腰部用マットレス９に設けた排泄部１３に対応する形状の開口部３１ａを備える袋体部３１を設けることにより、防水シート部材にて一体的に形成されている。。
また、防水シート３０の表側および裏側面には前記腰部用マットレス９に設けた面ファスナー２８に止着するための面ファスナー３２を止着固定することにより構成されている。
【００３１】
以上の構成からなる内箱部２２を外箱部２１内に装入するに当たっては、予め防水シート３０の袋体部３１の開口部３１ａを内箱部２２の開口部２３の内側あるいは外側に装入するとともに袋体部３１を内箱部２２の開口部２３の筒状部２３ａの内壁あるいは外壁に対して水密かつ気密的に接着または溶着することにより止着固定する。
【００３２】
係る構成によって防水シート３０を止着固定した内箱部２２を複数（予備的に）用意して置くことにより防水シート３０が排尿、排便の際に汚損され、以後の使用が不可能と判断された場合は内箱部２２の交換を迅速に行う利点を発揮することができる。
【００３３】
尚、内箱部２２に対する防水シート３０の袋体部３１と内箱部２２の筒状部２３ａとの水密かつ気密的な止着固定状態についての具体的な図示は省略するが、例えば特許文献２に記載される図２とその構成を説明する段落〔００２９〕〜〔００３１〕記載の構成による実施が可能である。
【００３４】
因って、トイレ付ベット１の上半身用枠体２上に図６に図示の腰部用マットレス９を、予め上半身用枠体２の下半身用枠体３との突き合わせ端部２ａの中央部に位置せしめて装着した外箱部２１（例えば図３参照）に対して当該要部用マットレス９の排泄用凹部１１を位置合わせしつつ敷設セットする。
また、かかる腰部用マットレス９の上半身用枠体２上に敷設セット作業に先立って、前記防水シート３０を止着固定した内箱部２２を、腰部用マットレス９の排泄用凹部１１を介して外箱部２１内に落とし込みつつ装入する。
【００３５】
また、外箱部２１内に装入した内箱部２２は、これを外箱部２１の前後方向に４〜５ｃｍ程度の移動範囲を以て、前述した支持手段により移動自在に支持してセットする。
【００３６】
しかして、内箱部２２の筒状部２３ａに止着固定される防水シート３０の袋体部３１が腰部用マットレス９の排泄用凹部１１を覆いつつ装入されてセットするとともに防水シート３０により腰部用マットレス９の上面が被覆されることになる。
この際防水シート３０の裏面に止着される面ファスナー３２を腰部用マットレス９の面ファスナー２８にそれぞれ止着することにより防水シート３０を腰部用マットレス９の上面に止着しつつ覆うことができる。
【００３７】
尚、この内箱部２２と防水シート３０のセット時には腰部用マットレス９の蓋体１２を排泄用凹部１１より取り外した状態にて遂行し、セット後これを嵌着することにより、図１図示のトイレ付ベット１の通常の使用状態にセットするものである。
【実施例４】
【００３８】
前記実施例３により図１のトイレ付ベット１において、当該ベット１における排泄物の排泄処理方法の実施に必要な排泄ボックス２０をセットすることができる。
かかる構成については図３により図示されている。
【００３９】
そして、当該トイレ付ベット１における排尿、排便時の使用状態については、、図２および図８により具体的に説明するが、図３および図４は、排泄物処理ボックス２０により排尿、排便される排泄物を吸引処理する吸引ユニット４０の概要説明図である。
【００４０】
以下にはその実施例４を図３、図４とともに説明する。
【００４１】
当該吸引ユニット４０は図３、図４に示すように、基本ユニット４１と処理ボックスユニット４２から構成される。
【００４２】
しかして、処理ボックスユニット４２は内箱部２２の吸引口２６に連結した外箱部２１の吸引ノズル２５に対して電動ボールバルブ４３を取り付けて、基本ユニット４１の排泄物収集タンク４４に連結パイプ４５を介して連結されている。
【００４３】
また、処理ボックスユニット４２においては、内箱部２２に装備した洗浄ノズル２９（図８参照）が基本ユニット４１のお湯タンク４６に連結パイプ４７を介して連結されている。
【００４４】
さらに基本ユニット４１において、前記排泄物収集タンク４４には、排泄物を吸引するための真空ポンプ４８を備えるとともに、この真空ポンプ４８は電磁バルブ４９を介装した吸引パイプ５０が排泄物収集タンク４４に連結されている。
【００４５】
また、前記お湯タンク４６には加温用のヒーター５１および温度コントローラ５２を設けるとともに水位センサー５３を設けることにより構成されている。
【００４６】
そして、お湯タンク４６の温水はポンプ５４により前記内箱部２２の洗浄ノズル２９に対して連結パイプ４７に設けた電磁バルブ５５により供給することができるよう構成されている。
尚、前記排泄物収集タンク４４による吸引操作は、同タンク４４に設けた制御回路５６をリモコン５７を介して遂行することができるように構成されている。
【実施例５】
【００４７】
以上の実施例１〜４の構成を備えるトイレ付ベット１を使用する方法について以下に説明する。
【００４８】
先ず、本願考案の実施に当たって使用するトイレ付ベット１については、本考案の目的において述べた通り頭脳は正常であって尿意、便意もあり、これを訴えることが可能であってもトイレにての排泄が間に合わないためにオムツによる排泄に頼る人が多い。
また、オムツ着用の主な理由の第一位が同様にてトイレが間に合わないからとするデータが存在することから、これらの人にとって身近に「トイレ」を置くことによりオムツを着用せずに自力で廃用症候群を起こすことなく生活できるトイレ付ベットの提供を主な目的とする。
従って、前述した実施例１〜４の構成から成るトイレ付ベット１によりこの目的を達成することができるものである。
【００４９】
先ず、図１の状態下におけるトイレ付ベット１により通常のベットとしての使用が可能である。
次に、自力で当該トイレ付ベット１を使用することができる場合には、図２等の状態にすることにより即座のトイレ使用が可能となる。
【００５０】
先ず、背もたれ部用マットレス８をベット用枠体４の上半身用枠体２に備える起立用手段１０を作動して（例えばこれはリモコンによりその場で操作できる）図２（ａ）の状態とする。
さらに、下半身用枠体３を上半身用枠体２より分離する（その分離動作は自力でできる人は自力で、これが不可能であれば電動による分離操作ができるように、前記背もたれ部用マットレス８を起立手段１０と同様のリモコン操作による操作により実施可能である）。
【００５１】
しかして、図２（ｂ）の状態の下半身用枠体３、下半身用マットレス６を上半身用枠体２から分離した状態にセットすることができる。
この状態下において、腰部用マットレス９における排泄部１３を使用状態とすることができ、図２（ｂ）にしめすように排泄部１３の蓋体１２を外した後、腰部用マットレス９の排泄部１３に腰部を位置せしめつつ着座、すなわち腰掛けた状態にて排尿、排便をすることができるものである。
【００５２】
すなわち、図１のトイレ付ベット１に寝ていて排尿、排便の尿、便意に従って前記図２（ａ）、（ｂ）の操作を実施することによりトイレ使用が完了し、トイレが間に合わない人にとっては全く心配する必要はなく最善である。
【００５３】
従って、自力で着座可能な人のオムツ着用はこれにより回避できるとともにオムツ着用の人が寝たきりになるのを回避する手段とすることも可能である。
すなわち、オムツ着用の場合には図８（ａ）に示す状態、背もたれ部用マットレス８を起立させつつ腰部を腰部用マットレス９の排泄部１３に位置することによりトイレ使用が可能である。
【００５４】
かかる図８（ａ）の使用に慣れて自力で着座できる体力が回復した場合には、図８（ｂ）の状態、すなわち前記図２にて説明した使用方法にてのトイレ使用を可能とすることができる。
また、自力で図８（ｂ）、図２（ｂ）の使用ができる人にとっては、トイレの心配がなくなることによる精神力の回復により、通常のトイレに行くゆとりができることにもつながるのである。
【００５５】
さて、図８（ａ）の寝たきりの人についてや、図８（ｂ）の着座状態での排泄部１３における排泄物の処理に当たっては、排泄物１３等の周辺の尿、便の漏れの心配が排尿、排便者にとってばかりでなく介護者にとっても最大となる。
よって、この心配は特許文献２の発明によっても解決できたものである（例えば段落〔００３４〕〜〔００３６〕の記載参照）。
【００５６】
かかる作用効果により寝たきりの人のトイレ付ベット１における排尿、排便における漏れや周辺の悪臭の発生を防止でき介護者にとってもその心配を激減することができる。
【００５７】
よって、本考案の実施例１〜４を具備するトイレ付ベット１における寝たきりの人の排尿、排便と着座状態における排泄物の処理方法について具体的に説明する。
【実施例６】
【００５８】
以下図３、図４および図８によりトイレ付ベット１における排泄物の処理方法の実施について説明する。
【００５９】
当該トイレ付ベット１の種々の使用方法の具体例については前記した通りであるが、その際の当該トイレ付ベット１の排泄物処理ボックス２０による処理方法の実施例について説明する。
【００６０】
寝たきり状態における排尿、排便の処理については図３の横になった状態による処理に加えて図８（ａ）の背もたれ部用マットレス８を起立せしめた状態による処理が可能で、さらに自力にて起きられる人には図８（ｂ）の座位による処理が可能である点については前述したところである。
【００６１】
しかして、これらの各状態における排泄物処理に当たっては、先ず排泄物処理ボックス２０の排泄部１３の蓋体１２を取り外した後、排尿、排便者の腰部を排泄用凹部１１に位置合わせするが、これが自力あるいは介護者の移動による位置合わせができない場合には、内箱部２２の位置を外箱部２１内の位置の前後方向（４〜５ｃｍ）に移動することができるので、当該内箱部２２の移動にてこれを排尿、排便者の腰部位置に位置合わせすることができる。
【００６２】
従って、その際の排泄物処理ボックス２０の周辺への排尿、排便の漏れを防止することができ、同時に排尿、排便の漏れによる悪臭の発生をも防止することができる。
そして、この位置合わせ操作に加えて、リモコン５７による制御回路５６を介する電動ボールバルブ４３の操作により内箱部２２内に排泄される排尿、排便をバキューム手段（吸引ユニット４０）により吸引しつつ連絡パイプ４５を介して排泄物収集タンク４４内に収集処理することができる。
【００６３】
この際の排尿、排便については防水シート３０の袋体部３１の開口縁３１ａが内箱部２２の筒状部２３ａに気密かつ水密的に接着または溶着により閉止され、バキューム効果はより適確に遂行することができる。
また、排尿、排便の際には洗浄ノズル２９を介する排尿、排便の部分の洗浄が可能である。
【００６４】
そして、かかる洗浄ノズル２９についても前記制御回路５６のリモコン５７による操作を可能とすることはもちろんであり、お湯タンク４６に関する諸操作も同様である。
かかる洗浄水の処理についても前記排尿、排便の処理と同様に処理することが可能である。
【符号の説明】
【００６５】
１      トイレ付ベット
２      上半身用枠体
３      下半身用枠体
４      ベット用枠体
５      上半身用マットレス
６      下半身用マットレス
７      キャスター
８      背もたれ部用マットレス
９      腰部用マットレス
１０    起立手段
１１    排泄用凹部
１２    蓋体
１３    排泄部
２０    排泄物処理ボックス
２１    外箱部
２２    内箱部
２３    開口部
２３ａ  筒状部
２４    落込部
２５    吸引ノズル
２６    吸引口
２７    支持ガイド
２８    面ファスナー
２９    洗浄ノズル
３０    防水シート
３１    袋体部
３１ａ  開口縁
３２    面ファスナー
４０    吸引ユニット
４１    基本ユニット
４２    処理ボックスユニット
４３    電動ボールバルブ
４４    排泄物収集タンク
４５    連結パイプ
４６    お湯タンク
４７    連結ポンプ
４８    真空ポンプ
４９    電磁バルブ
５０    吸引パイプ
５１    ヒーター
５２    温度コントローラ
５３    水位センサー
５４    ポンプ
５５    電磁バルブ
５６    制御回路
５７    リモコン
【図１】
0003203508.tif 000003
【図２】
0003203508.tif 000004
【図３】
0003203508.tif 000005
【図４】
0003203508.tif 000006
【図５】
0003203508.tif 000007
【図６】
0003203508.tif 000008
【図７】
0003203508.tif 000009
【図８】
0003203508.tif 000010